(57)【要約】【課題】レバー式のジョイスティックの隙間から、埃や、異物が、カメラ内部に侵入すること。【解決手段】本発明のジョイスティック装置は、ジョイスイッチ１０２と、ジョイスティックノブ１０３と、ジョイスティックカバー１０４とを有し、ジョイスティックカバー１０４に弾性部材を用いることで、ジョイスティックノブ１０３を操作してもダストブーツ部１０４ｂとリアケース１０５のカバー受け部１０５ｂとの密着状態を確保出来るため、隙間が発生せず、埃や異物の混入しない装置を実現可能となる。【選択図】図１
2007058488.tif 000002
【特許請求の範囲】
【請求項１】
レバー式のジョイスイッチと、ジョイスティックノブと、ジョイスティックカバーと、ケースを備えたジョイスティック装置であって、前記ジョイスティックカバーは弾性部材からなり、かつその外周部にはダストブーツ部を有し、前記ケースは孔を有し、前記孔より前記ジョイスティックノブの先端部が突出するとともに前記孔近傍裏面にはカバー受け部を有し、前記ダストブーツ部から前記カバー受け部に対して付勢力を与えるように構成されたことを特徴とするジョイスティック装置。
【請求項２】
レバー式のジョイスイッチと、ジョイスティックノブと、ジョイスティックカバーと、ケースを備えたジョイスティック装置であって、前記ジョイスティックカバーは弾性部材からなり、かつその外周部にはダストブーツ部を有し、前記ケースは孔を有し、前記孔より前記ジョイスティックノブの先端部が突出するとともに前記孔近傍裏面にはカバー受け部を有し、前記ダストブーツ部は前記カバー受け部に対して圧入されていることを特徴とするジョイスティック装置。
【発明の詳細な説明】
【技術分野】
【０００１】
本発明は、ビデオカメラやデジタルスチルカメラなどに適用可能な、操作スイッチをレバー式にしたジョイスティック装置に関するものである。
【背景技術】
【０００２】
従来のジョイスティック装置としては、例えば特開平０９−１３４２５１号公報（特許文献１）に記載されているものがある。図７は、特許文献1 に記載された従来のジョイスティック装置を示すものであり、このジョイスティック装置では、スティック軸方向に垂直な２方向に揺動可能な軸受け部が開示されており、特に、その軸受け部として、球形状の軸受け部（球部６２）を用いることで、ジョイスティックの動作によっても塵や埃が侵入しない構成となっている。しかし、近年のビデオカメラ等に使用されているジョイスティック装置は小型化、多機能化され、スティック軸方向に垂直な方向の動作のみならず、スティック軸方向にも動く構成のものが多くなっている。
【０００３】
図８はスティック軸方向にもジョイスティック移動が可能な従来のジョイスティック装置を示す。
【０００４】
図８において、基板１０１上にジョイスイッチ１０２が配置され、ジョイスイッチ軸１０２ａにジョイスティックノブ１０３が被さった構成となっている。さらにジョイスティックノブ１０３の上からリアケース１０５で覆われ、リアケース上に設けられたリアケース孔１０５ａからジョイスティックノブ１０３が突出した構成となっている。
【０００５】
このジョイスティック装置において、ジョイスティックノブ１０３をスティック軸方向（矢印Ａ方向）に押し込み操作、及び軸方向に垂直な方向（矢印Ｂ方向）に揺動操作をするためには、ジョイスティックノブ１０３及びリアケース孔１０５ａとの間に図示のような隙間が必要となる。矢印Ｂ方向の揺動操作の場合は、ジョイスティックノブ１０３に関して、一方の隙間は増大しても他方の隙間は小さくなるが、特に矢印Ａ方向の押し込み操作を行えば、ジョイスティックノブ１０３の全周にわたって隙間が増大する。
【特許文献１】特開平09-134251号公報
【発明の開示】
【発明が解決しようとする課題】
【０００６】
このように従来のジョイスティック装置では、ジョイスティックノブ１０３に対し、矢印Ａ方向の押圧操作、あるいは矢印Ｂの揺動操作を行うために、装置本体とジョイスティック部との間に初期的に隙間が必要であり、さらにこれら操作によって隙間が増大し、ゴミや異物の混入する可能性がある。
【０００７】
そこで本発明は、上記従来の課題を解決するもので、ジョイスティック装置の揺動操作及び押し込み操作においても装置本体とジョイスティック間に隙間が生じず、埃や異物の混入することのないジョイスティック装置を提供することを目的とする。
【課題を解決するための手段】
【０００８】
前記従来の課題を解決するために、本発明のジョイスティック装置は、ジョイスイッチと、ジョイスティックノブと、ジョイスティックカバーとを有し、隙間を防止する。
【０００９】
ここで、ジョイスティックカバーとしては弾性を有する軟質材料を用いることが好ましく、ジョイスイッチが傾いた場合でも隙間を防止する事が出来る。
【発明の効果】
【００１０】
本発明のジョイスティック装置によれば、ジョイスティックカバーを有することにより、ジョイスティックノブを操作時に傾けた場合でも、ケースとジョイスティックとの間に隙間が生じることがなく、装置内部に埃や異物が侵入しない構成とすることができる。
【発明を実施するための最良の形態】
【００１１】
以下本発明を実施するための最良の形態について、図面を参照しながら説明する。
【００１２】
図１は、本発明の実施の形態１におけるジョイスティック装置の全体図であり、図２はその分解斜視図である。
【００１３】
図２において、装置本体側の基板１０１にジョイスイッチ１０２が実装され、ジョイスイッチ１０２にはジョイスイッチ軸１０２ａが配されている。
【００１４】
ジョイスティック軸１０２ａはジョイスティックノブ１０３に挿入されるように、ジョイスティックノブ１０３を装着する。ここで、ジョイスティックノブ１０３をジョイスティック軸１０２ａの軸方向、及び軸方向に垂直な方向に移動させた時、ジョイスティックノブ１０３とジョイスティック軸１０２ａの動きが１対１に対応するよう、ジョイスティックノブ１０３に設けられた孔とジョイスティック軸１０２ａとは、図３（ａ）に示すごとく隙間のないよう構成される。また図６に示すごとく、ジョイスイッチ軸１０２ａの断面形状を十字形状とし、ジョイスティックノブ１０３の孔断面形状をそれに対応する形状とすることで、ジョイスイッチ軸１０２ａをジョイスティックノブ１０３にガタなくしっくりと挿入することが出来る。
【００１５】
次に、ジョイスティックカバー１０４が、ジョイスティックカバー孔１０４ａを広げる事でジョイスティックノブ１０３に圧入固定される。ここで、ジョイスティックカバー１０４の材質としては、例えばシリコンゴム等の弾性を持つ軟質の材料が用いられる。
【００１６】
ジョイスティックカバー１０４のジョイスティックノブ１０３への圧入については、図３に示すように、ジョイスティックノブ１０３にくびれ部１０３ａを設け、そのくびれ部１０３ａにジョイスティックカバー孔１０４ａをはめ込むように構成する。
【００１７】
最後に、リアケース１０５が装置本体にビス１０６で固定され、図１の状態となる。１０３はジョイスティックノブ、１０４はジョイスティックカバー、１０５はリアケース、１０６はビスであり、各々の部品等で、装置本体を構成している。
【００１８】
このとき、リアケース孔１０５ａの内側形状としては、図３に示すごとくジョイスティックカバー１０４の外周部が収まるように窪んだ形状となっており、ジョイスティックカバー１０４の外周部とリアケース１０５の内面が密着した構成となっている。
【００１９】
その一方でジョイスティックカバー孔１０４ａはジョイスティックノブ１０３に圧入されているため、外部からジョイスティック部を介して埃または異物の侵入を防止出来る構成となっている。
【００２０】
なお、本実施の形態では、ジョイスティックノブ１０３に対してジョイスティックカバー孔１０４ａを広げる事でジョイスティックカバー１０４を圧入固定しているが、ジョイスティックノブ１０３とジョイスティックカバー１０４を、２材質成形の一体部品としても良い。
【００２１】
以上のようにジョイスティックカバー１０４を有することで、ジョイスティックノブを操作時に傾けた場合でも、ケースとの隙間があくことがなく、カメラ内部に、埃や、異物などの侵入を防止することができる。
【００２２】
次に、ジョイスティックを動作させる時の各部の状態について説明する。
【００２３】
図３〜５は、本発明のジョイスティック装置の断面図であり、図３はジョイスティックが中立状態にある図、図４はジョイスティックノブ１０３を装置側に押し込んだ状態を示す図、図５はジョイスティック軸１０２ａを角度Ａだけ傾けた状態を示す図である。
【００２４】
図３において、ジョイスティックカバー１０４は外周部近傍にひだ状のダストブーツ部１０４ｂを有し、ダストブーツ１０４ｂの外周はリアケース１０５に設けられたすり鉢状のカバー受け部１０５ｂに密着している。また、ダストブーツ１０４ｂ近傍ではジョイスティックカバー１０４は薄肉に構成されており、ジョイスティックノブ１０３がいかなる方向に移動してもダストブーツ１０４ｂの外周部はカバー受け部１０５ｂに密着した状態となる。なお、カバー受け部１０５ｂは本実施の形態ではすり鉢状であるが、円筒形状としてダストブーツ部１０４ｂの外周部を収納するような構成としても良い。またこの際、その円筒形状部とダストブーツ１０４ｂ外周部は圧入されているのが望ましいが、ジョイスイッチ１０２表面とダストブーツ１０４ｂ間の距離（図３中のＡ寸法）を小さくとることで、ダストブーツ部１０４ｂが円筒部から抜けるのを防止することが可能となり、ダストブーツ部１０４ｂとカバー受け部１０５ｂとの密着状態を確保することが可能となる。
また、ジョイスティックカバー１０４は弾性部材で構成されていることから、カバー受け部１０５ｂに対してダストブーツ１０４ｂ外周部が圧入されていなくとも、ダストブーツ部１０４ｂからカバー受け部１０５ｂに対して図３の状態（中立状態）では付勢力がかかるようにジョイスティックカバー１０４を成形すれば、いくらジョイスティック操作によってジョイスティックカバー１０４が変形してもダストブーツ部１０４ｂとカバー受け部１０５ｂとの密着状態を確保することが可能となる。
【００２５】
また、ジョイスティックカバー１０４が変形してもダストブーツ部１０４ｂとカバー受け部１０５ｂとの密着状態を確保するという特性を維持するためには、ジョイスティックカバー１０４の形状として、ダストブーツ部１０４ｂのひだ形状を２重、３重の形状としたり、中心部と外周部とで厚みを変えることも可能である。
【００２６】
上記のように構成することにより、図４において、ジョイスティックノブ１０３を装置側に押し込んだ際にも、ダストブーツ部１０４ｂ外周部とカバー受け部１０５ｂとの密着状態は常に確保され、埃や異物の侵入を回避することが出来る。
【００２７】
次に図５ジョイスティックノブ１０３を角度Ａだけ傾けた時の状態を示すが、この時ジョイスティックノブ１０３の傾きに伴い、ジョイスティックカバー１０４が変形するが、ダストブーツ部１０４ｂはカバー受け部１０５ｂに密着しているため、埃、異物等の侵入出来る隙間が生じない。
【産業上の利用可能性】
【００２８】
本発明にかかるジョイスティック装置は、弾性を持つジョイスティックカバーで開口部を被覆することにより、ジョイスティックノブを操作時に傾けた場合でも押し込んだ場合でも、ケースとのジョイスティックとの間に隙間が生じることがなく、カメラ内部に、埃や異物などの侵入を防止することが可能になるので、本発明は、ビデオカメラやデジタルスチルカメラなどの、操作スイッチをレバー式にしたジョイスティック装置等として有用である。
【図面の簡単な説明】
【００２９】
【図１】本発明のジョイスティック装置の全体図
【図２】本発明のジョイスティック装置の分解斜視図
【図３】本発明のジョイスティック装置の断面図
【図４】本発明のジョイスティック装置の断面図
【図５】本発明のジョイスティック装置の断面図
【図６】本発明のジョイスティック装置を示す図
【図７】従来のジョイスティック装置の斜視図
【図８】従来のジョイスティック装置の断面図
【符号の説明】
【００３０】
１０１    基板
１０２    ジョイスイッチ
１０２ａ    ジョイスイッチ軸
１０３    ジョイスティックノブ
１０４    ジョイスティックカバー
１０４ａ    ジョイスティックカバー孔
１０４ｂ    ダストブーツ部
１０５    リアケース
１０５ａ    リアケース孔
１０５ｂ    カバー受け部
【図１】
2007058488.tif 000003
【図２】
2007058488.tif 000004
【図３】
2007058488.tif 000005
【図４】
2007058488.tif 000006
【図５】
2007058488.tif 000007
【図６】
2007058488.tif 000008
【図７】
2007058488.tif 000009
【図８】
2007058488.tif 000010